(57)【要約】【課題】患者の日常時の状態を反映したリハビリテーション計画の更新を支援することである。【解決手段】医用情報表示装置は、取得部と、出力部とを備える。前記取得部は、患者がリハビリテーションを行っている時の状態を示すリハビリテーション情報と、当該患者が前記リハビリテーションを行っていない時の状態を示す日常情報とを取得する。前記出力部は、前記リハビリテーション情報と、前記日常情報とを時間的に同期させて表示するリハビリテーション画面を出力する。【選択図】図２
2020184219.tif 000002
【特許請求の範囲】
【請求項１】
患者がリハビリテーションを行っている時の状態を示すリハビリテーション情報と、当該患者が前記リハビリテーションを行っていない時の状態を示す日常情報とを取得する取得部と、
前記リハビリテーション情報と、前記日常情報とを時間的に同期させて表示するリハビリテーション画面を出力する出力部と、
を備える医用情報表示装置。
【請求項２】
前記取得部は、患者の診察記録を示す診察情報を取得し、
前記出力部は、前記診察情報が表示された前記リハビリテーション画面を出力する、
請求項１に記載の医用情報表示装置。
【請求項３】
前記患者の診察記録を示す診察情報と、前記リハビリテーション情報と、前記日常情報とに基づいて、当該患者に応じたリハビリテーション計画を生成する生成部を更に備える、
請求項１または２に記載の医用情報表示装置。
【請求項４】
前記生成部は、前記診察情報と、前記リハビリテーション情報と、前記日常情報と、前記リハビリテーション計画との相関関係を学習した学習済みモデルを用いて、前記取得部が取得した前記診察情報と、前記リハビリテーション情報と、前記日常情報とに対応する前記リハビリテーション計画を生成する、
請求項３に記載の医用情報表示装置。
【請求項５】
前記出力部は、前記患者の着目対象が指定された場合に、指定された前記着目対象に着目した前記リハビリテーション画面を出力する、
請求項１乃至４の何れか一項に記載の医用情報表示装置。
【請求項６】
前記出力部は、指定された前記着目対象の観察を支援する画像処理を実行した前記リハビリテーション画面を出力する、
請求項５に記載の医用情報表示装置。
【請求項７】
前記出力部は、前記リハビリテーション情報に含まれるリハビリテーション時の前記患者の状態を計測した第１生体情報と、前記日常情報に含まれる日常時の前記患者の状態を計測した第２生体情報とを表示させる前記リハビリテーション画面を出力する、
請求項１乃至６の何れか一項に記載の医用情報表示装置。
【請求項８】
前記出力部は、前記リハビリテーション情報に含まれるリハビリテーション時の前記患者の状態を撮像した動画と、前記第１生体情報と、前記第２生体情報とを同期して表示させる前記リハビリテーション画面を出力する、
請求項７に記載の医用情報表示装置。
【請求項９】
前記出力は、前記リハビリテーション情報と、前記日常情報との差異が閾値以上である場合に、患者に異常が発生したことを報知する報知画面を出力する、
請求項１乃至８の何れか一項に記載の医用情報表示装置。
【請求項１０】
患者がリハビリテーションを行っている時の状態を示すリハビリテーション情報と、当該患者が前記リハビリテーションを行っていない時の状態を示す日常情報とを取得する取得部と、
前記リハビリテーション情報と、前記日常情報とを時間的に同期させて表示するリハビリテーション画面を表示させる表示制御部と、
を備える医用情報表示システム。
【発明の詳細な説明】
【技術分野】
【０００１】
本発明の実施形態は、医用情報表示装置、及び医用情報表示システムに関する。
【背景技術】
【０００２】
従来、脳疾患等の病気や怪我等により障害が生じた場合、医師等の医療従事者は、患者の状態に応じたリハビリテーションの計画を立案し、患者に実施させる。ところが、回復の程度は、患者に応じて異なるため適宜計画を更新することが求められる。
【０００３】
特許文献１には、リハビリテーション中の動作や生体情報に基づいて、リハビリテーションを支援する技術が開示されている。
【０００４】
しかしながら、従来技術においては、日常時の動作や日常時の生体情報は取得していなかった。そのため、医療従事者は、日常時の患者の状態を反映させてリハビリテーション等の計画を更新することができなかった。
【先行技術文献】
【特許文献】
【０００５】
【特許文献１】特許６３２０７０２号公報
【発明の概要】
【発明が解決しようとする課題】
【０００６】
本発明が解決しようとする課題は、患者の日常時の状態を反映したリハビリテーション計画の更新を支援することである。
【課題を解決するための手段】
【０００７】
実施形態の医用情報表示装置は、取得部と、出力部とを備える。前記取得部は、患者がリハビリテーションを行っている時の状態を示すリハビリテーション情報と、当該患者が前記リハビリテーションを行っていない時の状態を示す日常情報とを取得する。前記出力部は、前記リハビリテーション情報と、前記日常情報とを時間的に同期させて表示するリハビリテーション画面を出力する。
【図面の簡単な説明】
【０００８】
【図１】図１は、本実施形態に係る医用情報表示システムの構成の一例を示す図である。
【図２】図２は、本実施形態に係る医用情報表示装置の構成の一例を示すブロック図である。
【図３】図３は、リハビリテーション画面の一例を示す図である。
【図４】図４は、複数のイベントの詳細情報が含まれるリハビリテーション画面の一例を示す図である。
【図５】図５は、本実施形態に係る医用情報表示装置が実行する更新処理の処理手順を示すフローチャートである。
【発明を実施するための形態】
【０００９】
以下、図面を参照して、医用情報表示装置、及び医用情報表示システムの実施形態を説明する。なお、一つの実施形態又は変形例に記載した内容は、他の実施形態又は他の変形例にも同様に適用されてもよい。
【００１０】
図１は、本実施形態に係る医用情報表示システム１の構成の一例を示す図である。図１に示すように、医用情報表示システム１は、病院情報システム１０（ＨＩＳ：Hospital  Information  System）、撮像装置２０、生体センサ３０、操作端末４０、及び医用情報表示装置５０を備える。医用情報表示システム１は、リハビリテーションを行う患者のリハビリテーション計画の更新を支援するシステムである。リハビリテーション計画には、例えばリハビリテーションで行う訓練内容や食事内容等の計画が含まれる。なお、医用情報表示システム１は、病院情報システム１０、撮像装置２０、生体センサ３０、操作端末４０、及び医用情報表示装置５０が一台ずつに限らず、複数台ずつ備えていてもよい。
【００１１】
病院情報システム１０は、病院内で発生する院内情報を管理するシステムである。院内情報には、例えば、患者情報や、診察情報等が含まれる。患者情報には、例えば、患者ＩＤ（IDentifer）、患者名、性別、身長、体重、年齢、及び血液型等が含まれる。診察情報は、患者の診察記録を示す情報である。診察情報には、例えば、医師等の医療従事者によって入力された患者の症状や所見や傷病名や傷病部位等の診察結果が含まれる。また、診察情報は、診察に用いられた情報であってもよい。例えば、診察情報は、血液検査等の検査結果等であってもよい。さらに、診察情報は、例えばＸ線ＣＴ画像データ、Ｘ線画像データ、ＭＲＩ（Magnetic  Resonance  Imaging）画像データ、核医学画像データ、又は超音波画像データ等の医用画像データであってもよい。
【００１２】
撮像装置２０は、動画や静止画等の画像を撮像するカメラ等の装置である。撮像装置２０は、患者が日常生活を営む場所やリハビリテーションを行う場所に設置される。また、撮像装置２０は、患者の日常や患者のリハビリテーションを行う様子を撮影する。また、撮像装置２０は、リハビリテーション時であるか又は日常時であるかを設定するスイッチを備えている。そして、撮像装置２０は、撮像した患者を示す患者ＩＤと、撮像した画像と、リハビリテーション時であるか又は日常時であるかを示す状態識別情報とを医用情報表示装置５０に送信する。
【００１３】
生体センサ３０は、患者の生体情報を取得するセンサである。生体情報とは、例えば、血圧や、心拍数や、体温や、動かした四肢の速度等である。また、生体センサ３０は、リハビリテーション時であるか又は日常時であるかを設定するスイッチを備えている。そして、生体センサ３０は、患者から計測した生体情報と、生体情報の患者を示す患者ＩＤと、リハビリテーション時であるか又は日常時であるかを示す状態識別情報とを医用情報表示装置５０に送信する。
【００１４】
操作端末４０は、例えばパーソナルコンピュータやタブレット端末等の情報処理装置である。操作端末４０は、医用情報表示システム１の操作を受け付ける。すなわち、操作端末４０は、医用情報表示装置５０が生成した各種画面を表示する。また、操作端末４０は、医用情報表示装置５０が生成した各種画面において患者のリハビリテーション計画を更新する操作等を受け付ける。
【００１５】
医用情報表示装置５０は、医用情報表示システム１を制御するサーバ装置である。例えば、医用情報表示装置５０は、撮像装置２０から受信した画像や、生体センサ３０から受信した生体情報に基づいて、リハビリテーション画面６０（図３参照）を生成する。また、医用情報表示装置５０は、撮像装置２０から受信した画像や、生体センサ３０から受信した生体情報に基づいて、患者の日常時の状態を反映したリハビリテーションの計画を示すリハビリテーション計画情報を生成する。また、医用情報表示装置５０は、患者に異常が発生したと判定した場合に、患者の異常を報知する報知画面（不図示）を生成する。
【００１６】
さらに、医用情報表示装置５０は、操作端末４０と同様の機能を有していてもよい。すなわち、医用情報表示装置５０は、リハビリテーション画面６０や報知画面を表示してもよいし、リハビリテーション画面６０で患者のリハビリテーション計画を更新する操作等を受け付けてもよい。また、本実施形態では、医用情報表示装置５０が一台のサーバ装置により形成されている場合を例に説明する。しかし、医用情報表示装置５０は、複数台のサーバ装置により形成されていてもよい。
【００１７】
次に、本実施形態に係る医用情報表示装置５０の構成について説明する。
【００１８】
図２は、本実施形態に係る医用情報表示装置５０の構成の一例を示すブロック図である。図２に示すように、本実施形態に係る医用情報表示装置５０は、ネットワークインタフェース５１０と、記憶回路５２０と、入力インタフェース５３０と、ディスプレイ５４０と、処理回路５５０とを有する。
【００１９】
ネットワークインタフェース５１０は、処理回路５５０に接続されており、ネットワークを介して、病院情報システム１０、撮像装置２０、生体センサ３０、及び操作端末４０との間で行われる各種データの伝送及び通信を制御する。更に詳しくは、ネットワークインタフェース５１０は、各システムから各種の情報を受信し、受信した情報を処理回路５５０に出力する。例えば、ネットワークインタフェース５１０は、ネットワークカードやネットワークアダプタ、ＮＩＣ（Network  Interface  Controller）等によって実現される。
【００２０】
記憶回路５２０は、処理回路５５０に接続されており、各種データを記憶する。例えば、記憶回路５２０は、ＲＡＭ（Random  Access  Memory）、フラッシュメモリ等の半導体メモリ素子や、ハードディスク、光ディスク等によって実現される。例えば、記憶回路５２０は、リハビリテーション履歴情報５２１を記憶する。リハビリテーション履歴情報５２１とは、患者を識別可能な患者ＩＤに、患者の診察情報と、撮像装置２０及び生体センサ３０から取得したリハビリテーション情報と、撮像装置２０及び生体センサ３０から取得した日常情報とが関連付けられた情報である。リハビリテーション情報とは、撮像装置２０がリハビリテーション時の患者を撮像した画像、又は生体センサ３０がリハビリテーション時の患者を計測した生体情報である。日常情報とは、撮像装置２０が日常時の患者を撮像した画像、又は生体センサ３０が日常時の患者を計測した生体情報とである。
【００２１】
入力インタフェース５３０は、操作者から受け付けた入力操作を電気信号に変換して処理回路５５０に出力する。例えば、入力インタフェース５３０は、トラックボール、スイッチボタン、マウス、キーボード、操作面へ触れることで入力操作を行うタッチパッド、表示画面とタッチパッドとが一体化されたタッチスクリーン、光学センサを用いた非接触入力インタフェース、音声入力インタフェース等の入力装置によって実現される。なお、入力インタフェース５３０は、医用情報表示装置５０とは別体に設けられた操作装置から操作に対応する電子信号を受け付ける接続インタフェース等の制御回路であってもよい。
【００２２】
ディスプレイ５４０は、処理回路５５０から出力される各種情報や各種画像を表示する。例えば、ディスプレイ５４０は、有機ＥＬ（Electro  Luminescence）モニタや、液晶モニタや、ＣＲＴ（Cathode  Ray  Tube）モニタや、タッチパネル等の表示装置によって実現される。例えば、ディスプレイ５４０は、操作者の指示を受け付けるためのＧＵＩ（Graphical  User  Interface）や、各種の表示用の画像データ、処理回路５５０による各種の処理結果を表示する。
【００２３】
処理回路５５０は、医用情報表示装置５０が有する各構成要素を制御する。例えば、処理回路５５０は、プロセッサによって実現される。さらに詳しくは、本実施形態に係る処理回路５５０は、取得機能５５１、異常検出機能５５２、画面生成機能５５３、出力機能５５４、及び計画更新機能５５５を有する。
【００２４】
ここで、例えば、図２に示す処理回路５５０の構成要素である取得機能５５１、異常検出機能５５２、画面生成機能５５３、出力機能５５４、及び計画更新機能５５５が実行する各処理機能は、コンピュータによって実行可能なプログラムの形態で記憶回路５２０に記憶されている。処理回路５５０は、各プログラムを記憶回路５２０から読み出し、実行することで各プログラムに対応する機能を実現するプロセッサである。換言すると、各プログラムを読み出した状態の処理回路５５０は、図２の処理回路５５０内に示された各機能を有することとなる。
【００２５】
なお、取得機能５５１、異常検出機能５５２、画面生成機能５５３、出力機能５５４、及び計画更新機能５５５の全ての処理機能がコンピュータによって実行可能な１つのプログラムの形態で、記憶回路５２０に記録されていてもよい。例えば、このようなプログラムは、医用情報表示プログラムとも称される。この場合、処理回路５５０は、医用情報表示プログラムを記憶回路５２０から読み出し、読み出した医用情報表示プログラムを実行することで医用情報表示プログラムに対応する取得機能５５１、異常検出機能５５２、画面生成機能５５３、出力機能５５４、及び計画更新機能５５５を実現する。
【００２６】
取得機能５５１は、取得部の一例である。取得機能５５１は、患者の診察記録を示す診察情報と、患者がリハビリテーションを行っている時の状態を示すリハビリテーション情報と、患者がリハビリテーションを行っていない時の状態を示す日常情報とを取得する。更に詳しくは、取得機能５５１は、病院情報システム１０が管理する院内情報から診察情報を取得する。また、取得機能５５１は、撮像装置２０から画像を取得した場合、又は生体センサ３０から生体情報を取得した場合、状態識別情報に基づいてリハビリテーション情報と日常情報との何れに該当するかを識別する。そして、取得機能５５１は、診察情報、リハビリテーション情報、及び日常情報を患者ＩＤに関連付けてリハビリテーション履歴情報５２１に記憶させる。なお、リハビリテーション情報と日常情報との識別方法は、状態識別情報による識別に限定しない。例えば、リハビリテーション情報を取得する装置と、日常情報とを取得する装置とが予め設定されている場合には、何れの装置から取得したかによりリハビリテーション情報であるか、又は日常情報であるかを識別してもよいし、他の方法により識別してもよい。
【００２７】
異常検出機能５５２は、リハビリテーション情報と、日常情報との差異が閾値以上である場合に、患者に異常が発生したとして検出する。ところで、脳疾患等の病気や怪我等により障害が生じた場合、患者は、機能回復のためにリハビリテーションを行う。しかし、無理なリハビリテーションは、怪我等の悪影響を患者に与えることがある。悪影響を防止するためには、無理のない適切なリハビリテーションを行う必要がある。ところが、患者に応じて無理のあるリハビリテーションは異なっている。そのため、患者の状態を把握している者以外は、患者が無理のあるリハビリテーションを行っているか否かを判断することは困難である。そこで、異常検出機能５５２は、日常情報が示す患者の日常時の状態と、リハビリテーション情報が示す患者のリハビリテーション時の状態とを比較することで、無理のあるリハビリテーション等の患者に発生した異常を検出する。
【００２８】
更に詳しくは、異常検出機能５５２は、リハビリテーション履歴情報５２１の日常情報とリハビリテーション情報との差異が閾値以上である場合に、患者に異常が発生したとして検出する。例えば、異常検出機能５５２は、日常情報に含まれる生体情報が示す患者の血圧と、リハビリテーション情報に含まれる生体情報が示す患者の血圧との差異が閾値以上である場合に、患者に異常が発生したとして検出する。または、異常検出機能５５２は、日常情報に含まれる画像から抽出した患者の四肢の角度と、リハビリテーション情報に含まれる画像から抽出した患者の四肢の角度との差異が閾値以上である場合に、患者に異常が発生したとして検出する。なお、異常検出機能５５２は、血圧や角度に限らず、他の情報に基づいて、患者に異常が発生したとして検出してもよい。例えば、異常検出機能５５２は、患者の特定の部位の動きの速度であってもよいし、心拍数であってもよいし、これら以外の情報であってもよい。
【００２９】
画面生成機能５５３は、例えば、リハビリテーション情報と、日常情報とを時間的に同期させて表示するリハビリテーション画面６０を生成する。ここで、図３は、リハビリテーション画面６０の一例を示す図である。例えば、リハビリテーション画面６０には、時系列表示領域６１０と、着目対象指定領域６２０と、動画表示領域６３０と、動作状態表示領域６４０と、生体情報表示領域６５０と、診察記録表示領域６６０とが含まれる。
【００３０】
時系列表示領域６１０は、イベント種類ごとに、イベントを時系列に並べて表示する領域である。図３に示す時系列表示領域６１０は、イベント種類としてリハビリテーション、血液検査、画像診断、及び診察記録が表示されている状態を示している。しかし、時系列表示領域６１０に表示されるイベント種類は、これらイベントに限らず、治療であってもよいし、食事であってもよいし、その他のイベントであってもよい。また、時系列表示領域６１０は、各イベント、つまりリハビリテーション、血液検査、画像診断、及び診察記録を示すアイコン６１１が含まれている。
【００３１】
アイコン６１１には、リハビリテーション等のイベントを識別可能な識別情報が含まれている。しかし、アイコン６１１は、識別情報を含んでいなくてもよいし、各イベントを実施した日時等の他の情報が含まれていてもよい。画面生成機能５５３は、リハビリテーションのアイコン６１１が選択された場合に、選択されたアイコン６１１に係るリハビリテーションの画像を、動画表示領域６３０と、動作状態表示領域６４０と、生体情報表示領域６５０とに表示させる。また、画面生成機能５５３は、診察記録のアイコン６１１が選択された場合に、選択されたアイコン６１１に係る診察記録を表示させる。なお、図３に示すリハビリテーション画面６０は、リハビリテーションにおける識別情報が「３」のアイコン６１１が選択され、診察記録における識別情報が「２」のアイコン６１１が選択された状態を示している。
【００３２】
着目対象指定領域６２０は、操作者が着目する対象を指定する領域である。着目対象指定領域６２０は、例えばプルダウンボタン等により形成されている。よって、着目対象指定領域６２０は、プルダウンボタンを押下することで表示された選択肢から着目対象を指定させることができる。図３に示す着目対象指定領域６２０は、着目する対象として腕関節が指定された場合を示している。
【００３３】
また、画面生成機能５５３は、着目対象指定領域６２０で着目対象が指定された場合に、指定された着目対象に着目した画像を、動画表示領域６３０と、動作状態表示領域６４０と、生体情報表示領域６５０とに表示させる。そして、画面生成機能５５３は、動画表示領域６３０と、動作状態表示領域６４０と、生体情報表示領域６５０とに時間的に同期した画像を表示させる。
【００３４】
動画表示領域６３０は、撮像装置２０が撮像した画像を表示する領域である。すなわち、動画表示領域６３０は、アイコン６１１で指定されたリハビリテーション時に撮像装置２０が撮像した画像であって、着目対象指定領域６２０で指定された着目対象の画像を表示する領域である。
【００３５】
画面生成機能５５３は、着目対象指定領域６２０で患者の着目対象が指定された場合に、撮像装置２０が撮像した画像に対して、指定された着目対象に着目させる画像処理を実行する。そして、画面生成機能５５３は、画像処理を実行した画像を動画表示領域６３０に表示させる。更に詳しくは、画面生成機能５５３は、指定された着目対象の観察を支援する画像処理を実行した画像を生成する。図３に示す動画表示領域６３０は、観察を支援する画像処理として、患者の全身の画像のうち着目対象の画像を切り出す処理と、腕関節の曲がり具合を視認しやすくするために腕関節の角度を示す補助線６３１を追加する処理とが実行されている。
【００３６】
なお、図３に示す動画表示領域６３０の観察を支援する画像処理は一例である。例えば、画面生成機能５５３は、患者の全身の画像を表示した上で着目対象を強調表示する処理を実行してもよいし、腕の角度を示す数値を付加する処理を実行してもよし、他の画像処理を実行してもよい。さらに、画面生成機能５５３は、任意に指定する操作等により実行する画像処理を変更してもよいし、着目対象に応じた画像処理を実行してもよい。
【００３７】
動作状態表示領域６４０は、動画表示領域６３０に表示された対象の動作状態を表示する領域である。画面生成機能５５３は、撮像装置２０が撮像した画像から、着目対象指定領域６２０で指定された着目対象の動作を抽出することで動作状態表示領域６４０の画像を生成する。図３に示す動作状態表示領域６４０は、着目対象指定領域６２０で着目対象として腕関節が指定されているため、患者の腕の動作について表示している。
【００３８】
更に詳しくは、動作状態表示領域６４０には、動画表示領域６３０に表示された腕の動作が、動作開始、腕が最も曲げられた状態を示す動作最大、腕を曲げる動作を終了した状態を示す動作終了の何れの状態であるかが表示される。動作状態表示領域６４０には、動画表示領域６３０に表示された状態が、動作状態表示領域６４０に表示された状態の何れに該当するかを示す第１特定線６４１が含まれている。動作状態表示領域６４０は動画表示領域６３０の動画と同期しているため、第１特定線６４１は、動画が再生されるに従い、動作状態表示領域６４０の左側から右側に移動する。また、第１特定線６４１は、動作状態表示領域６４０の動画の再生位置を制御する操作を受け付けてもよい。これにより、第１特定線６４１は、任意の状態の動画を容易に視聴させることができる。
【００３９】
なお、動作状態表示領域６４０における動作開始、動作最大、及び動作終了との状態表示は一例である。例えば、画面生成機能５５３は、動作状態表示領域６４０における状態表示を更に細分化してもよいし、操作等により指定された状態表示を実行してもよいし、着目対象に応じた状態表示を実行してもよい。
【００４０】
生体情報表示領域６５０は、リハビリテーション情報が示す状態と、日常情報が示す状態とを対比可能に表示する領域である。更に詳しくは、画面生成機能５５３は、リハビリテーション情報に含まれるリハビリテーション時の患者の状態を計測した生体情報と、日常情報に含まれる日常時の患者の状態を計測した生体情報とを表示させる。すなわち、画面生成機能５５３は、生体センサ３０から取得したリハビリテーション時の患者の生体情報を示すリハビリテーション線６５１をグラフ等に描画することで生体情報表示領域６５０の画像を生成する。また、画面生成機能５５３は、生体センサ３０から取得した日常時の患者の生体情報を示す日常線６５２を生体情報表示領域６５０に描画する。さらに、動作状態表示領域６４０には、動画表示領域６３０に表示された状態が、生体情報表示領域６５０に表示された生体情報の何れに該当するかを示す第２特定線６５３が含まれている。
【００４１】
ここで、生体情報表示領域６５０は、動画表示領域６３０、及び動作状態表示領域６４０と時間的に同期している。すなわち、画面生成機能５５３は、リハビリテーション情報に含まれるリハビリテーション時の患者の状態を撮像した動画と、リハビリテーション時の生体情報と、日常時の生体情報とを同期して生体情報表示領域６５０に表示させる。そして、第２特定線６５３は、動画表示領域６３０に表示された患者の体勢であって、動作状態表示領域６４０に表示された患者の状態の生体情報を示している。すなわち、第２特定線６５３は、動画が再生されるに従い、生体情報表示領域６５０の左側から右側に移動する。これにより、医療従事者は、動画表示領域６３０に表示された患者の状態と、日常時の生体情報と、リハビリテーション時の生体情報とを比較することができる。また、第２特定線６５３は、動作状態表示領域６４０の動画の再生位置を制御する操作を受け付けてもよい。これにより、第２特定線６５３は、任意の状態の動画を容易に視聴させることができる。
【００４２】
ここで、図３に示す生体情報表示領域６５０は、腕関節を動かしている時の患者の生体情報として、血圧が表示された状態を示している。しかし、画面生成機能５５３は、血圧に限らず、他の生体情報を表示してもよい。例えば、生体情報表示領域６５０に表示される生体情報は、着目対象の動きの速度であってもよいし、心拍数であってもよいし、これら以外の情報であってもよい。さらに、生体情報表示領域６５０に表示される生体情報は、着目対象に応じて事前に設定されていてもよいし、その都度選択する形式であってもよい。
【００４３】
また、画面生成機能５５３は、生体情報表示領域６５０に、血圧や速度等の複数の生体情報を表示してもよい。また、画面生成機能５５３は、生体情報表示領域６５０に複数のグラフにより複数の生体情報を表示してもよい。さらに、画面生成機能５５３は、生体情報をグラフに限らず、図表により表示してもよいし、他の方法により表示してもよい。
【００４４】
診察記録表示領域６６０は、医師等の医療従事者による診察記録を示す診察情報を領域である。例えば、診察記録表示領域６６０には、ＳＯＡＰ（Subjective  Objective  Assessment  Plan）形式で記載された診察の記録が表示される領域である。
【００４５】
また、画面生成機能５５３は、複数のイベントの詳細情報が含まれるリハビリテーション画面６０を生成してもよい。ここで、図４は、複数のイベントの詳細情報が含まれるリハビリテーション画面６０の一例を示す図である。図４に示すリハビリテーション画面６０は、リハビリテーションにおける識別情報が「２」及び「３」のアイコン６１１が選択され、画像診断における識別情報が「１」のアイコン６１１が選択され、診察記録における識別情報が「１」及び「２」のアイコン６１１が選択された状態を示している。
【００４６】
画面生成機能５５３は、リハビリテーションにおける識別情報が「２」及び「３」のアイコン６１１が選択されたことにより、動画表示領域６３０と、動作状態表示領域６４０とをそれぞれ２つ表示させている。ここで、画面生成機能５５３は、複数のイベントを表示させる場合等に、表示させる情報量を制御する。例えば、画面生成機能５５３は、アイコン６１１により特定されるイベントの詳細情報として表示する複数の表示領域のうち、表示させる表示領域を選択する。そして、画面生成機能５５３は、選択した表示領域を表示させる。ここで、画面生成機能５５３の表示領域の選択方法は、限定しない。例えば、画面生成機能５５３は、例えば設定に基づいて表示させる表示領域を選択してもよいし、入力された操作に基づいて表示させる表示領域を選択してもよいし、他の方法により表示させる表示領域を選択してもよい。
【００４７】
図３に示すリハビリテーション画面６０では、リハビリテーションのアイコン６１１が選択された場合に、画面生成機能５５３は、生体情報表示領域６５０を表示させている。一方、図４に示すリハビリテーション画面６０では、リハビリテーションのアイコン６１１が選択された場合に、画面生成機能５５３は、生体情報表示領域６５０を表示させていない。このように、画面生成機能５５３は、情報量を制御することで、リハビリテーション画面６０が煩雑になってしまうことを低減させることができる。
【００４８】
また、画面生成機能５５３は、画像診断における識別情報「１」のアイコン６１１が選択されたことにより、医用画像表示領域６７０を表示させている。医用画像表示領域６７０は、アイコン６１１により特定される医用画像を、診察情報として表示する領域である。図４に示す医用画像表示領域６７０は、医用画像として脳のＭＲＩ画像データを表示している。
【００４９】
また、画面生成機能５５３は、診察記録における識別情報が「２」及び「３」のアイコン６１１が選択されたことにより、２つの診察記録表示領域６６０を表示させている。２つの診察記録表示領域６６０には、それぞれＳＯＡＰ形式で記載された診察情報が表示されている。
【００５０】
また、画面生成機能５５３は、リハビリテーション計画を更新する操作を受け付ける更新ボタン等をリハビリテーション画面６０に表示してもよい。画面生成機能５５３は、更新ボタンが押下された場合、リハビリテーション計画の更新内容等を受け付ける更新画面（不図示）を表示させる。よって、操作者は、患者のリハビリテーション情報を容易に更新することができる。また、更新画面には、後述する計画更新機能５５５が生成したリハビリテーション計画情報が含まれていていてもよい。この場合も、操作者は、リハビリテーション計画情報に基づいて、患者のリハビリテーション情報を容易に更新することができる。
【００５１】
また、画面生成機能５５３は、異常検出機能５５２が患者に発生した異常を検出した場合に、患者に異常が発生したことを報知する報知画面を生成する。報知画面には、異常が発生した患者を示す患者ＩＤや、患者が居る場所を示す情報等が含まれている。よって、報知画面は、患者に異常が発生したことを報知することができる。
【００５２】
出力機能５５４は、出力部及び表示制御部の一例である。出力機能５５４は、リハビリテーション情報と、日常情報とを時間的に同期させて表示するリハビリテーション画面６０を出力する。更に詳しくは、出力機能５５４は、画面生成機能５５３が生成した各種画面を出力する。例えば、出力機能５５４は、ネットワークを介して接続された操作端末４０に各種画面を送信することで各種画面を出力する。また、出力機能５５４は、ディスプレイ５４０に各種画面を表示（「出力」の一態様）させる。このようにリハビリテーション画面６０を出力することで、出力機能５５４は、患者の着目対象が指定された場合に、指定された着目対象に着目したリハビリテーション画面６０を出力する。また、出力機能５５４は、指定された着目対象の観察を支援する画像処理を実行したリハビリテーション画面６０を出力する。また、出力機能５５４は、リハビリテーション情報に含まれるリハビリテーション時の患者の状態を計測した生体情報である第１生体情報と、日常情報に含まれる日常時の患者の状態を計測した生体情報である第２生体情報とを表示させるリハビリテーション画面６０を出力する。また、出力機能５５４は、リハビリテーション情報に含まれるリハビリテーション時の患者の状態を撮像した動画と、第１生体情報と、第２生体情報とを同期して表示させるリハビリテーション画面６０を出力する。さらに、リハビリテーション画面６０で診察記録のアイコン６１１が選択された場合には、出力機能５５４は、診察情報が表示されたリハビリテーション画面６０を出力する。
【００５３】
また、出力機能５５４は、リハビリテーション情報と、日常情報との差異が閾値以上である場合に、患者に異常が発生したことを報知する報知画面を出力する。更に詳しくは、出力機能５５４は、画面生成機能５５３が報知画面を生成した場合に、報知画面を送信する。この時、出力機能５５４は、操作端末４０や、予め設定された端末に、報知画面を送信する。このように、出力機能５５４は、予め設定された端末に報知画面を送信することで、ナースステーションや、リハビリテーションを行う場所等に設置された端末に報知画面を表示させることができる。よって、医療従事者は、異常が発生した患者のもとへ駆けつけることができる。
【００５４】
計画更新機能５５５は、生成部の一例である。計画更新機能５５５は、診察情報と、リハビリテーション情報と、日常情報とに基づいて、患者に応じたリハビリテーション計画を示すリハビリテーション計画情報を生成する。更に詳しくは、計画更新機能５５５は、リハビリテーション計画を更新する患者を示す患者ＩＤを指定してリハビリテーション計画情報の生成が指示された場合に、患者ＩＤにより特定される患者のリハビリテーション計画を示すリハビリテーション計画情報を生成する。
【００５５】
例えば、計画更新機能５５５は、診察情報と、リハビリテーション情報と、日常情報と、リハビリテーション計画との相関関係を学習した学習済みモデルを用いて、取得機能５５１が取得した診察情報と、リハビリテーション情報と、日常情報とに対応するリハビリテーション計画情報を生成する。例えば、学習済みモデルは、診察情報と、リハビリテーション情報と、日常情報と、これら情報に応じたリハビリテーション計画情報とを学習用データとして機械学習エンジンに入力することで構築される。これにより、学習済みモデルは、診察情報と、リハビリテーション情報と、日常情報とが入力された場合に、これら情報に対応したリハビリテーション計画情報を生成する。なお、学習済みモデルは、教師あり学習に限らず、教師なし学習により構築されてもよいし、強化学習により構築されてもよいし、他の方法により構築されてもよい。
【００５６】
また、計画更新機能５５５は、学習済みモデルに限らず、他の方法によりリハビリテーション計画情報を生成してもよい。例えば、計画更新機能５５５は、診察情報と、リハビリテーション情報と、日常情報とに応じたリハビリテーション計画情報をデータベース等から抽出することでリハビリテーション計画情報を生成してもよい。なお、計画更新機能５５５は、患者の今後のリハビリテーション計画の全部を生成してもよいし、リハビリテーション計画の一部を生成してもよい。
【００５７】
さらに、計画更新機能５５５は、障害の発生から経過した期間に応じたリハビリテーション計画を生成してもよい。例えば、障害が発生してからあまり期間が経過していない急性期と、急性期後の回復期とでは、実施すべきリハビリテーションは異なっている。急性期には、例えば寝た状態でのリハビリテーションや、座った状態でのリハビリテーションや、立ち上がるリハビリテーション等が好ましいと判断される場合がある。一方、急性期には、歩行訓練や、日常動作の訓練や、言語訓練等が好ましいと判断される場合がある。このように、実施すべきリハビリテーションは、時期に応じて異なる場合がある。そこで、計画更新機能５５５は、障害の発生から経過した期間に応じたリハビリテーション計画を生成してもよい。
【００５８】
そして、計画更新機能５５５は、患者のリハビリテーション計画の更新指示を受け付けた場合に、リハビリテーション計画を更新する。リハビリテーション計画の更新指示は、例えば、操作端末４０等が受け付けた操作をネットワークインタフェース５１０が受信することで受け付けてもよいし、入力インタフェース５３０がリハビリテーション計画の更新操作により受け付けてもよい。
【００５９】
また、計画更新機能５５５は、患者が嚥下障害を有している場合、食事もリハビリテーションとなる。そこで、計画更新機能５５５は、患者に応じた食事計画を生成してもよい。すなわち、計画更新機能５５５は、リハビリテーション情報に含まれる嚥下訓練の状態を示す生体情報と、日常情報に含まれる食事の状態を示す生体情報とに基づいて、患者の食事計画を生成する。例えば、計画更新機能５５５は、患者の食事計画として食事のメニューを生成する。具体的には、計画更新機能５５５は、リハビリテーションが進行するに従い、より固い食べ物のメニューを生成する。
【００６０】
次に、本実施形態に係る医用情報表示装置５０が実行するリハビリテーション計画の更新処理について説明する。図５は、本実施形態に係る医用情報表示装置５０が実行する更新処理の処理手順を示すフローチャートである。
【００６１】
取得機能５５１は、診察情報、リハビリテーション情報、又は日常情報を取得したか否かを判定する（ステップＳ１）。
【００６２】
診察情報、リハビリテーション情報、又は日常情報を取得した場合に（ステップＳ１；Ｙｅｓ）、取得機能５５１は、取得した情報をリハビリテーション履歴情報５２１に記憶させる（ステップＳ２）。そして、医用情報表示装置５０は、ステップＳ１に移行する。
【００６３】
診察情報、リハビリテーション情報、又は日常情報を取得していない場合に（ステップＳ１；Ｎｏ）、画面生成機能５５３は、患者ＩＤを指定してリハビリテーション画面６０を表示させる指示を受け付けたか否かを判定する（ステップＳ３）。
【００６４】
リハビリテーション画面６０を表示させる指示を受け付けた場合に（ステップＳ３；Ｙｅｓ）、画面生成機能５５３は、指定された患者ＩＤにより特定される患者の日常時の状態を反映したリハビリテーション計画の更新を支援するリハビリテーション画面６０を生成する（ステップＳ４）。出力機能５５４は、生成したリハビリテーション画面６０を出力する（ステップＳ５）。そして、医用情報表示装置５０は、ステップＳ１に移行する。
【００６５】
リハビリテーション画面６０を表示させる指示を受け付けていない場合に（ステップＳ３；Ｎｏ）、異常検出機能５５２は、リハビリテーション履歴情報５２１に基づいて、患者の異常を検出したか否かを判定する（ステップＳ６）。
【００６６】
患者の異常を検出した場合に（ステップＳ６；Ｙｅｓ）、画面生成機能５５３は、報知画面を生成する（ステップＳ７）。出力機能５５４は、生成した報知画面を出力する（ステップＳ８）。そして、医用情報表示装置５０は、ステップＳ１に移行する。
【００６７】
患者の異常を検出しない場合に（ステップＳ６；Ｎｏ）、計画更新機能５５５は、患者ＩＤを指定してリハビリテーション計画情報の生成が指示されたか否かを判定する（ステップＳ９）。なお、リハビリテーション計画情報の生成指示操作は、リハビリテーション画面６０の表示中に受け付けられてもよいし、他の画面の表示中に受け付けられてもよい。リハビリテーション計画情報の生成が指示されていない場合に（ステップＳ９；Ｎｏ）、医用情報表示装置５０は、ステップＳ１に移行する。
【００６８】
リハビリテーション計画情報の生成が指示された場合に（ステップＳ９；Ｙｅｓ）、計画更新機能５５５は、指定された患者ＩＤにより特定される患者のリハビリテーション計画情報を生成する（ステップＳ１０）。出力機能５５４は、生成したリハビリテーション計画情報を出力する（ステップＳ１１）。
【００６９】
計画更新機能５５５は、生成したリハビリテーション計画情報に基づいたリハビリテーション計画の更新指示を受け付けたか否かを判定する（ステップＳ１２）。更新指示を受け付けていない場合に（ステップＳ１２；Ｎｏ）、医用情報表示装置５０は、待機する。
【００７０】
更新指示を受け付けた場合に（ステップＳ１２；Ｙｅｓ）、計画更新機能５５５は、患者のリハビリテーション計画を更新する（ステップＳ１３）。
【００７１】
以上により、医用情報表示装置５０は、更新処理を終了する。
【００７２】
以上のように、本実施形態に係る医用情報表示装置５０は、撮像装置２０、及び生体センサ３０から取得した患者がリハビリテーションを行っている時の状態を示すリハビリテーション情報と、患者がリハビリテーションを行っていない時の状態を示す日常情報を取得する。そして、医用情報表示装置５０は、リハビリテーション情報と、日常情報とを時間的に同期させたリハビリテーション画面６０を表示させる。このように、リハビリテーション画面６０には患者の日常時の状態と、リハビリテーション時の状態とが表示されているため、医療従事者は、患者の日常時の状態を反映したリハビリテーション計画を作成することができる。よって、本実施形態に係る医用情報表示装置５０は、患者の日常時の状態を反映したリハビリテーション計画の更新を支援することである。
【００７３】
また、上述した実施形態では、単一の処理回路５５０によって各処理機能が実現される場合の例を説明したが、実施形態はこれに限られない。例えば、処理回路５５０は、複数の独立したプロセッサを組み合わせて構成され、各プロセッサが各プログラムを実行することにより各処理機能を実現するものとしても構わない。また、処理回路５５０が有する各処理機能は、単一又は複数の処理回路５５０に適宜に分散又は統合されて実現されてもよい。
【００７４】
上述した各実施形態の説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、メモリにプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００７５】
ここで、プロセッサによって実行されるプログラムは、ＲＯＭ（Read  Only  Memory）や記憶部等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００７６】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【００７７】
また、上述した実施形態で説明した医用情報表示方法は、予め用意されたプログラムをパーソナルコンピュータやワークステーション等のコンピュータで実行することによって実現することができる。このプログラムは、インターネット等のネットワークを介して配布することができる。また、このプログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【００７８】
以上説明した少なくとも一つの実施形態によれば、患者の日常時の状態を反映したリハビリテーション計画の更新を支援することができる。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１  医用情報表示システム
１０  病院情報システム
２０  撮像装置
３０  生体センサ
４０  操作端末
５０  医用情報表示装置
６０  リハビリテーション画面
５２１  リハビリテーション履歴情報
５５０  処理回路
５５１  取得機能
５５２  異常検出機能
５５３  画面生成機能
５５４  出力機能
５５５  計画更新機能
６１０  時系列表示領域
６１１  アイコン
６２０  着目対象指定領域
６３０  動画表示領域
６３１  補助線
６４０  動作状態表示領域
６４１  第１特定線
６５０  生体情報表示領域
６５１  リハビリテーション線
６５２  日常線
６５３  第２特定線
【図１】
2020184219.tif 000003
【図２】
2020184219.tif 000004
【図３】
2020184219.tif 000005
【図４】
2020184219.tif 000006
【図５】
2020184219.tif 000007